(57)【特許請求の範囲】
【請求項１】
それぞれ円環形状であって互いに径の異なる第１及び第２の放電灯と、各放電灯にそれぞれ電力を供給して各放電灯を少なくとも高輝度点灯と高輝度点灯よりも各放電灯に供給する電力を少なくして光出力を低くした低輝度点灯とで点灯させることができる点灯手段と、点灯手段を制御する制御手段と、各放電灯を互いの中心軸を揃えて保持するとともに点灯手段と制御手段とを保持した器具本体と、透光性を有する材料からなり器具本体に結合して各放電灯を覆い各放電灯の光を拡散させるカバーと、器具本体に保持されてカバーに覆われ第１の放電灯の光を軸方向に配光する第１の配光部及び第２の放電灯の光を径方向外向きに配光する第２の配光部を有する反射板とを備え、
制御手段は、より径の小さい第１の放電灯について低輝度点灯時に供給される電力の定格電力に対する比を、より径の大きい第２の放電灯について低輝度点灯時に供給される電力の定格電力に対する比よりも大きくすることを特徴とする照明器具。
【請求項２】
点灯手段は、高輝度点灯時に、各放電灯にそれぞれ定格電力の１００％±１０％の電力を供給することを特徴とする請求項１記載の照明器具。
【請求項３】
点灯手段は、高輝度点灯と低輝度点灯との間で、それぞれ各放電灯の光出力を高輝度点灯時より小さくかつ低輝度点灯時よりも大きくする少なくとも１段階の中輝度点灯が可能であって、中輝度点灯時には、第２の放電灯の光出力に対する第１の放電灯の光出力の比を、低輝度点灯時よりも小さい範囲内で、第２の放電灯の光出力が小さいほど大きくすることを特徴とする請求項１又は請求項２記載の照明器具。
【発明の詳細な説明】
【技術分野】
【０００１】
本発明は、照明器具に関するものである。
【背景技術】
【０００２】
従来から、それぞれ円環形状であって軸を揃えて配列された複数個の放電灯を備え、各放電灯をそれぞれ調光可能な照明器具が提供されている（例えば、特許文献１参照）
この種の照明器具として、例えば図６に示すものがある。この照明器具は、それぞれ環形状であって互いに径が異なる２個の放電灯Ｌａ１，Ｌａ２と、より径の小さい第１の放電灯Ｌａ１に電力を供給して点灯させる第１の点灯回路１１と、より径の大きい第２の放電灯Ｌａ２に電力を供給して点灯させる第２の点灯回路１２と、各点灯回路１１，１２をそれぞれ制御する制御回路２とを備える。各放電灯Ｌａ１，Ｌａ２はそれぞれ例えばスリム環形二重形状（いわゆるＦＨＤ形）であって、第１の放電灯Ｌａ１の定格電力は例えば４１Ｗであり、第２の放電灯Ｌａ２の定格電力は例えば９７Ｗである。第２の点灯回路１２は電源線Ｐ２を介して交流電源ＡＣに接続され、第１の点灯回路１１は電源線Ｐ１を介して第２の点灯回路１２から電源を供給される。また、制御回路２は、５本の電線Ｓ２を介して第２の点灯回路１２に接続されており、第２の点灯回路１２から電源を供給されている。さらに、第１の点灯回路１１は、３本の信号線Ｓ１を介して第２の点灯回路１２に接続され、第２の点灯回路１２を介して制御回路２に接続されている。電線Ｓ２のうち、１本は制御回路２に１００Ｖの電源を供給するものであり、１本は交流電源ＡＣが接続されているか否かを示す信号を制御回路２に入力するものである。また、電線Ｓ２のうち残りの３本と信号線Ｓ１とはそれぞれ、制御回路２で生成され放電灯Ｌａ１，Ｌａ２の点灯・消灯の切り替えを指示する制御信号の入出力のための電線と、制御回路２で生成され放電灯Ｌａ１，Ｌａ２の光出力を指示する調光信号の入出力のための電線と、グランドに接続される電線とを含む。なお、第１の点灯回路１１は、図７に示すように第２の点灯回路１２を介さずに直接、制御回路２に接続されることもある。
【０００３】
第１の点灯回路１１及び第２の点灯回路１２はそれぞれ例えば周知のインバータ回路からなり、制御回路２は、各点灯回路１１，１２の出力の周波数を変化させることによって放電灯Ｌａ１，Ｌａ２に供給される電力を変化させる。この結果、放電灯Ｌａ１，Ｌａ２は、例えば図８に示すように、それぞれ光出力が異なる２０の調光段階のうちいずれかの調光段階で点灯する。以下、最も光出力が大きい調光段階を高輝度点灯と呼び、最も光出力が小さい調光段階を低輝度点灯と呼ぶ。つまり、中間の１８の調光段階がそれぞれ請求項における中輝度点灯である。
【０００４】
また、上記従来の照明器具は、図９に示すように、天井ＣＥに取り付けられ放電灯Ｌａ１，Ｌａ２の中心軸を揃えて（つまり、下方から見て同心円状となる配置で）それぞれ保持するとともに制御回路２と各点灯回路１１，１２とをそれぞれ保持した器具本体３と、拡散透過性を有する材料からなり器具本体３に保持されて放電灯Ｌａ１，Ｌａ２を覆い放電灯Ｌａ１，Ｌａ２の光を拡散させるカバー４とを備える。図９の例において、器具本体３の天井ＣＥへの保持、並びに、天井ＣＥ内に配設され交流電源ＡＣに接続された電線Ｐ２と第２の点灯回路１２との電気的接続は引掛シーリング６を介してなされ、器具本体３と天井ＣＥとの間には緩衝材７が配置されている。また、器具本体３には、放電灯Ｌａ１，Ｌａ２の口金が取りつけられるソケット３２と、板ばねからなり放電灯Ｌａ１，Ｌａ２を弾性的に挟持することにより放電灯Ｌａ１，Ｌａ２を保持する保持具３３と、放電灯Ｌａ１，Ｌａ２の光を配光する円錐台形状の反射板５とが取りつけられている。
【０００５】
さらに、器具本体３は例えば図１０に示すように円板形状であって、図における下面の外周付近には、カバー４を保持するための複数個（２個のみ図示）の係合部３１が周方向に等間隔に（例えば１２０度おきに）並べて設けられている。係合部３１は、先部が器具本体３の径方向の外向きに突出した断面Ｌ字形状に形成されている。カバー４は、一方の底面（図９の上面）が円形状に開口した中空の円柱形状であって、開口の内周にはそれぞれ係合部３１に係合する複数個（図では６個）の係合突起４１が周方向に等間隔に並べて内側へ突設されている。カバー４を器具本体３に取り付けるには、図１０に矢印Ａ１で示すように係合突起４１の間を通して係合部３１をカバー４内に導入してから、カバー４を器具本体３に対して下方から見て右回りに回転させる。すると、係合突起４１が係合部３１に係合することにより、カバー４が器具本体３に結合する。逆に、カバー４を取り外す際は、カバー４を器具本体３に対して下方から見て左回りに回転させてから、係合突起４１の間を通して係合部３１をカバー４内から導出する。つまり、カバー４はいわゆるソフトターン方式によって器具本体３に着脱自在に取り付けられる。また、カバー４において器具本体３に対向する面には、第１の放電灯Ｌａ１の光を主に受ける範囲と第２の放電灯Ｌａ２の光を主に受ける範囲とを分ける環状の突起４２を突設している。
【０００６】
さらに、制御回路２には、リモコン装置（図示せず）から送信された例えば赤外光を媒体とするワイヤレス信号を受信するために例えばフォトダイオードからなる受信部（図示せず）が設けられている。ワイヤレス信号は放電灯Ｌａ１，Ｌａ２の点灯・消灯の切り替えや、調光段階の変更を指示するものである。制御回路２は、受信部に受信されたワイヤレス信号に応じて、各点灯回路１１，１２をそれぞれ制御する。さらに、器具本体３には、制御回路２の受信部を下方に向けて保持する受信ブロック３４を設けてある。
【特許文献１】特開２０００−１８８１９６号公報
【発明の開示】
【発明が解決しようとする課題】
【０００７】
ところで、調光比をある程度低下させると、内側に位置する第１の放電灯Ｌａ１の光がカバー４で拡散されても、下方から見てカバー４の中心部を十分に発光させることができなくなるため、見栄えが悪くなる。このような見栄えの悪化を防ぐためには、第１の放電灯Ｌａ１の光出力を確保する必要がある。
【０００８】
また、従来は、全ての調光段階において、供給される電力の、定格電力に対する比（以下、「調光比」と呼ぶ。）が第１の放電灯Ｌａ１と第２の放電灯Ｌａ２とで共通となるように制御していた。
【０００９】
従って、上記のような見栄えの悪化を防ぐために低輝度点灯時の第１の放電灯Ｌａ１の調光比を確保すると、第２の放電灯Ｌａ２の調光比までも高くすることになり、低輝度点灯時の全体としての光出力を低くすることができなかった。
【００１０】
本発明は上記事由に鑑みて為されたものであり、その目的は、低輝度点灯時の見栄えの悪化を防ぎつつも、低輝度点灯時の全体としての光出力を低くすることができる照明器具を提供することにある。
【課題を解決するための手段】
【００１１】
請求項１の発明は、それぞれ円環形状であって互いに径の異なる第１及び第２の放電灯と、各放電灯にそれぞれ電力を供給して各放電灯を少なくとも高輝度点灯と高輝度点灯よりも各放電灯に供給する電力を少なくして光出力を低くした低輝度点灯とで点灯させることができる点灯手段と、点灯手段を制御する制御手段と、各放電灯を互いの中心軸を揃えて保持するとともに点灯手段と制御手段とを保持した器具本体と、透光性を有する材料からなり器具本体に結合して各放電灯を覆い各放電灯の光を拡散させるカバーと、器具本体に保持されてカバーに覆われ第１の放電灯の光を軸方向に配光する第１の配光部及び第２の放電灯の光を径方向外向きに配光する第２の配光部を有する反射板とを備え、制御手段は、より径の小さい第１の放電灯について低輝度点灯時に供給される電力の定格電力に対する比を、より径の大きい第２の放電灯について低輝度点灯時に供給される電力の定格電力に対する比よりも大きくすることを特徴とする。
【００１２】
この発明によれば、第１の放電灯の低輝度点灯時の光出力を確保して低輝度点灯時の見栄えの悪化を防止しても、低輝度点灯時に供給される電力の定格電力に対する比を各放電灯で共通とする場合に比べ、低輝度点灯時に第２の放電灯の光出力を低くすることができるから、低輝度点灯時の全体としての光出力を低くすることができる。また、高輝度点灯時には第２の放電灯によって広範囲を照明し、低輝度点灯時には第１の放電灯によって狭い範囲を集中して照明することができる。
【００１３】
請求項２の発明は、請求項１の発明において、点灯手段は、高輝度点灯時に、各放電灯にそれぞれ定格電力の１００％±１０％の電力を供給することを特徴とする。
【００１６】
請求項３の発明は、請求項１又は請求項２の発明において、点灯手段は、高輝度点灯と低輝度点灯との間で、それぞれ各放電灯の光出力を高輝度点灯時より小さくかつ低輝度点灯時よりも大きくする少なくとも１段階の中輝度点灯が可能であって、中輝度点灯時には、第２の放電灯の光出力に対する第１の放電灯の光出力の比を、低輝度点灯時よりも小さい範囲内で、第２の放電灯の光出力が小さいほど大きくすることを特徴とする。
【００１７】
この発明によれば、第２の放電灯の光出力に対する第１の放電灯の光出力の比を急激に変化させる場合に比べ、低輝度点灯と高輝度点灯との間での中輝度点灯を経た切り替えの際に見る者に違和感を感じさせにくい。
【発明の効果】
【００１８】
本発明によれば、定格電力に対する低輝度点灯時の光出力の比を、第１の放電灯において第２の放電灯よりも大きくしたことにより、第１の放電灯の低輝度点灯時の光出力を確保しても、上記の比を各放電灯で共通とする場合に比べ、低輝度点灯時の全体としての光出力を低くすることができる。また、高輝度点灯時には第２の放電灯によって広範囲を照明し、低輝度点灯時には第１の放電灯によって狭い範囲を集中して照明することができる。
【発明を実施するための最良の形態】
【００１９】
以下、本発明を実施するための最良の形態について、図面を参照しながら説明する。
【００２０】
本実施形態の基本構成は従来例と共通であるので、共通する部分については同じ符号を付して図示並びに説明を省略する。
【００２１】
本実施形態の制御回路２は、図１に示すように、高輝度点灯時には各放電灯Ｌａ１，Ｌａ２に対しそれぞれ定格電力の１００％の電力を点灯回路１１，１２から供給させて各放電灯Ｌａ１，Ｌａ２の調光比ＤＲ１，ＤＲ２をそれぞれ１００％とする。また、高輝度点灯時以外では、第１の放電灯Ｌａ１の調光比ＤＲ１を第２の放電灯Ｌａ２の調光比ＤＲ２よりも高くしており、低輝度点灯時には、第１の放電灯Ｌａ１の調光比ＤＲ１を２５％とする一方で、第２の放電灯Ｌａ１の調光比ＤＲ２を１０％としている。
【００２２】
さらに、高輝度点灯と低輝度点灯とを含みそれぞれ放電灯Ｌａ１，Ｌａ２への供給電力が異なる２０の調光段階では、それぞれ、第２の放電灯Ｌａ２の調光比ＤＲ２が低い調光段階ほど、第２の放電灯Ｌａ２の調光比ＤＲ２に対する第１の放電灯Ｌａ１の調光比ＤＲ１の比を高くしている。これにより、調光段階に応じて第１の放電灯Ｌａ１の光出力と第２の放電灯Ｌａ２の光出力との関係が連続的に変化するから、第１の放電灯Ｌａ１の調光比ＤＲ１と第２の放電灯Ｌａ２の調光比ＤＲ２との比を急激に変化させる場合に比べて見た目に違和感が生じにくい。
【００２３】
各放電灯Ｌａ１，Ｌａ２の調光比ＤＲ１，ＤＲ２を上記のようにしたことにより、本実施形態では、第１の放電灯Ｌａ１の光出力ＬＭ１、第２の放電灯Ｌａ２の光出力ＬＭ２、全体としての光出力ＬＭＴは、それぞれ図２のようになる。
【００２４】
また、放電灯Ｌａ１，Ｌａ２に供給する電力を指示するために制御回路２から各点灯回路１１，１２に入力される調光信号は、例えばＰＷＭ制御に用いられる周波数約１ｋＨｚ、電圧振幅約５．０Ｖのパルス信号であって、各点灯回路１１，１２はそれぞれ例えば調光信号のデューティ比を電圧に変換する変換部を有する。変換部は、例えば図３に示すように一端が定電圧Ｖｒｅｆに保持され他端が接地された抵抗Ｒ１〜Ｒ３の直列回路と、低電圧側の抵抗Ｒ３の両端間に接続されたコンデンサＣ１と、低電圧側の２個の抵抗Ｒ２，Ｒ３に並列に接続された抵抗Ｒ４とトランジスタＱ１との直列回路とを備える。トランジスタＱ１のベースにはパルス信号が入力され、パルス信号のデューティ比に応じた電圧がコンデンサＣ１から出力される。調光段階と、第１の点灯回路１１において変換部から出力される電圧Ｖ１及び第２の点灯回路１２において変換部から出力される電圧Ｖ２との関係は、例えば次表及び図４のようになる。
【００２５】
【表１】
0004788211.tif 000002
【００２６】
また、各点灯回路１１，１２は、それぞれ例えば、昇圧チョッパ回路からなり交流電源ＡＣから供給される電力を所定の電圧の直流電力に変換する力率改善部（図示せず）と、ハーフブリッジ形のインバータ回路からなり力率改善部の出力を交流電力に変換するインバータ部（図示せず）と、周知の駆動用ＩＣからなり変換部の出力電圧に応じた一定の周波数の交流電力がインバータ部から出力されるようにインバータ部のスイッチング素子を駆動する駆動部（図示せず）とを有する。さらに、制御回路２と点灯回路１１，１２との相互の干渉を抑制するため、各点灯回路１１，１２には、制御回路２から出力された制御信号や調光信号をフォトカプラ（図示せず）を通じて入力している。
【００２７】
上記構成によれば、低輝度点灯時に第１の放電灯Ｌａ１の調光比を第２の放電灯Ｌａ２の調光比よりも大きくしていることにより、第１の放電灯Ｌａ１の低輝度点灯時の光出力を確保しても、従来例のように低輝度点灯時の調光比を各放電灯Ｌａ１，Ｌａ２で共通とする場合に比べ、低輝度点灯時の全体としての光出力を低くすることができる。例えば、図８に示すように従来例では低輝度点灯時に全体での光出力ＬＭＴを３０００ｌｍ程度までしか下げることができなかったのに対し、本実施形態では図２に示すように低輝度点灯時に第１の放電灯Ｌａ１の光出力ＬＭ１を従来例と同程度に確保しながらも全体での光出力ＬＭＴを２０００ｌｍ程度まで下げている。
【００２８】
なお、本実施形態では既に述べたように低輝度点灯時の調光比を第１の放電灯Ｌａ１では２５％とし、第２の放電灯Ｌａ２では１０％としているが、低輝度点灯時の各放電灯Ｌａ１，Ｌａ２の調光比は上記の値に限られず、例えば低輝度点灯時の調光比を第１の放電灯Ｌａ１では２８％とし、第２の放電灯Ｌａ２では１４％としてもよい。ここで、低輝度点灯時の調光比を決定するに当たっては、例えば、第２の放電灯Ｌａ２については通常考えられる使用環境の元で安定して点灯可能な範囲で最低限の調光比とし、第１の放電灯Ｌａ１については低輝度点灯時の見栄えが悪化しない程度の調光比とする。また、低輝度点灯時において、第１の放電灯Ｌａ１の調光比は、第２の放電灯Ｌａ２の調光比の１．５倍以上とすることが望ましい。
【００２９】
また、図５に示すように、第１の放電灯Ｌａ１の光を軸方向（図５の下方）に配光する凹面形状の第１の配光部５１と、第１の配光部５１の周囲に設けられ、外周面が下端部に近い位置ほど外径を小さくする方向に傾斜し、下端部が第２の放電灯Ｌａ２に囲まれて第２の放電灯Ｌａ２の光を第２の放電灯Ｌａ２の径方向（図５の左右方向）外向きに配光する円錐台形状の第２の配光部５２とを有する反射板５を設けてもよい。この構成を採用すれば、高輝度点灯時には第２の放電灯Ｌａ２と第２の配光部５２とによって広範囲を照明することができる。また、低輝度点灯時には第１の放電灯Ｌａ１と第１の配光部５１とで放電灯Ｌａ１，Ｌａ２の軸方向すなわち照明器具の真下の狭い範囲を集中して照明することで、照明器具の真下の照度を確保しながらも消費電力を低減することができる。
【００３０】
さらに、調光段階の個数も本実施形態のような２０個に限られず、調光段階を例えば無限個、すなわち高輝度点灯と低輝度点灯との間で連続的に光出力を変化させることができるようにしてもよい。さらに、第１の放電灯Ｌａ１と第２の放電灯Ｌａ２との一方又は両方を複数個設けてもよい。
【図面の簡単な説明】
【００３１】
【図１】本発明の実施形態において各放電灯の調光段階と調光比との関係を示す説明図である。
【図２】同上において調光段階と光出力との関係を示す説明図である。
【図３】同上の点灯回路においてパルス信号を電圧に変換する回路を示す回路図である。
【図４】調光段階と図３の回路の出力電圧との関係を示す説明図である。
【図５】同上の別の例を示す断面図である。
【図６】照明器具の構成の一例を示すブロック図である。
【図７】照明器具の構成の別の例を示すブロック図である。
【図８】従来の照明器具において調光段階と光出力との関係を示す説明図である。
【図９】照明器具の一例を示す断面図である。
【図１０】器具本体へのカバーの取り付け方の例を示す説明図である。
【符号の説明】
【００３２】
２  制御回路
３  器具本体
４  カバー
５  反射板
１１  第１の点灯回路
１２  第２の点灯回路
５１  第１の配光部
５２  第２の配光部
Ｌａ１  第１の放電灯
Ｌａ２  第２の放電灯
【図１】
0004788211.tif 000003
【図２】
0004788211.tif 000004
【図３】
0004788211.tif 000005
【図４】
0004788211.tif 000006
【図５】
0004788211.tif 000007
【図６】
0004788211.tif 000008
【図７】
0004788211.tif 000009
【図８】
0004788211.tif 000010
【図９】
0004788211.tif 000011
【図１０】
0004788211.tif 000012